(57)【要約】  その後部壁(5)付近のプロジェクター(12)により映像が映写されるスクリーン(10)を持つオーディトリウム(3)を備えたシネマ建造物(1)。シート(16)の列(15)を備えた座席設備(14)は約25°の角度で積み上げられたプリンス(18)上で支持される。シート(16)の最前列(15a)は最前部プリンス(18a)上の左・右側部分(44a,44b)から形成され、これはまた左・右側部分(42a,42b)から形成される。最前列(15a)と最前部プリンス(18)の左・右側部分はスクリーン(10)への遮られない映写ビームを収容する中央空間(45,43)を形成する。列(15)は1,300mmの水平ピッチ(P1)で配され、各プリンス(18)は隣接プリンス(18)上で約600mmの高さ(h∧)に存在する。最前部プリンス(18a)はオーディトリウム(3)の床(8)上、約1,200mmに存在する。スクリーン(10)はオーディトリウム(3)の対向側壁(6)間で前端壁(4)の幅にわたってかつ床(8)と天井(9)との間で前端壁(4)の全高にわたって延在する。
2013537589.tif 000002
【特許請求の範囲】
【請求項１】
シネマ建造物であって、
前端壁、および、この前端壁から離間させられかつ前記前端壁と共にオーディトリウムを画定する後端壁と、
前記前端壁に隣接して配置されたスクリーンであって、下側縁から、離間させられた上側縁へと、そして一対の離間させられた側方縁の一方から他方の側方縁へと延在するスクリーンと、
前記スクリーン上に映画を映写するよう構成された、前記スクリーンから離間させられて配置された映像映写手段と、
前記オーディトリウム内に配置された積み上げられた座席設備と、を具備してなり、
前記積み上げられた座席設備は、前記前端壁から前記後端壁に至る一般的方向に上昇する、２０°ないし４０°の範囲内の前記座席設備の積み上げ角度をなしていることを特徴とするシネマ建造物。
【請求項２】
前記座席設備の前記積み上げ角度は、２２°ないし３０°の範囲内に存在することを特徴とする請求項１に記載のシネマ建造物。
【請求項３】
前記座席設備の前記積み上げ角度は、約２５°であることを特徴とする請求項１または請求項２に記載のシネマ建造物。
【請求項４】
前記座席設備は、列をなすよう構成された複数のシートを備えることを特徴とする請求項１ないし請求項３のいずれか１項に記載のシネマ建造物。
【請求項５】
シートの前記列は、積み上げと実質的に交差するように延在することを特徴とする請求項４に記載にシネマ建造物。
【請求項６】
前記シートの前記列は、１,０００ｍｍないし１,５００ｍｍの範囲内の水平ピッチで離間されていることを特徴とする請求項４または請求項５に記載のシネマ建造物。
【請求項７】
前記シートの前記列は、約１,３００ｍｍの水平ピッチで離間されていることを特徴とする請求項４ないし請求項６のいずれか１項に記載のシネマ建造物。
【請求項８】
前記シートの前記列は、平面で見たとき、アーチ状に構成されることを特徴とする請求項４ないし請求項７のいずれか１項に記載のシネマ建造物。
【請求項９】
前記シートの前記列は、前記スクリーンから見たとき、凹状であるように構成されることを特徴とする請求項８に記載のシネマ建造物。
【請求項１０】
前記シートの最前列の直後の前記シートの列における前記シートの中央のものは、４メートルないし８.５メートルの範囲内の垂直距離だけ前記スクリーンから離間されていることを特徴とする請求項４ないし請求項９のいずれか１項に記載のシネマ建造物。
【請求項１１】
前記シートの最前列の直後の前記シートの列における前記シートの中央のものは、約７.３メートルの垂直距離だけ前記スクリーンから離間されていることを特徴とする請求項１０に記載のシネマ建造物。
【請求項１２】
前記シートの後部列における前記シートの中央のものは、１２メートルないし３０メートルの範囲内の垂直距離だけ前記スクリーンから離間されていることを特徴とする請求項４ないし請求項１１のいずれか１項に記載のシネマ建造物。
【請求項１３】
前記シートの後部列の前記シートの中央のものは、約１４メートルの垂直距離だけ前記スクリーンから離間されていることを特徴とする請求項１２に記載のシネマ建造物。
【請求項１４】
シートの前記最前列は、互いに離間しかつシートが存在しない中央空間をその間に形成する左側および右側部分を備えることを特徴とする請求項４ないし請求項１３のいずれか１項に記載のシネマ建造物。
【請求項１５】
前記最前列の前記左側および右側部分間に形成される前記中央空間は、横並び状態で配置された複数のシートによって占有されるであろうスペースに対応する長さのものであり、前記複数のシートは、３個のシートないし９個のシートの範囲内に存在することを特徴とする請求項１４に記載のシネマ建造物。
【請求項１６】
前記複数のシートは約７個のシートであることを特徴とする請求項１５に記載のシネマ建造物。
【請求項１７】
シートの前記最前列の前記左側部分におけるシートの数は、その右側部分におけるシートの数と同じであることを特徴とする請求項１４ないし請求項１６のいずれか１項に記載のシネマ建造物。
【請求項１８】
前記最前列の前記左側および右側部分のそれぞれにおける前記複数のシートは５個のシートないし２０個のシートの範囲内に存在することを特徴とする請求項１４ないし請求項１７のいずれか１項に記載のシネマ建造物。
【請求項１９】
前記最前列の前記左側および右側部分のそれぞれにおける前記複数のシートは９個のシートであることを特徴とする請求項１４ないし請求項１８のいずれか１項に記載のシネマ建造物。
【請求項２０】
前記最前列の前記左および右側部分は、そのそれぞれの側方縁間で前記スクリーンを二等分しかつ前記スクリーンから垂直に延在する垂直面の対向する側で等しく離間されていることを特徴とする請求項１４ないし請求項１９のいずれか１項に記載のシネマ建造物。
【請求項２１】
前記シートの前記列は、それぞれのプリンスによって支持されていることを特徴とする請求項４ないし請求項２０のいずれか１項に記載のシネマ建造物。
【請求項２２】
隣接するプリンス間の垂直高さは４００ｍｍないし８００ｍｍの範囲内にあることを特徴とする請求項２１に記載のシネマ建造物。
【請求項２３】
隣接するプリンス間の垂直高さは約６００ｍｍであることを特徴とする請求項２１または請求項２２に記載のシネマ建造物。
【請求項２４】
その上で前記シートの前記最前列が支持される前記プリンスは、１,０００ｍｍないし１,４００ｍｍの範囲内の、前記スクリーンの下側縁上の垂直レベルに存在することを特徴とする請求項２１ないし請求項２３のいずれか１項に記載のシネマ建造物。
【請求項２５】
その上で前記シートの前記最前列が支持される前記プリンスは、約１,２００ｍｍの前記スクリーンの下側縁上の垂直レベルに存在することを特徴とする請求項２１ないし請求項２４のいずれか１項に記載のシネマ建造物。
【請求項２６】
その上で前記シートの前記最前列が支持される前記プリンスは、互いに離間しかつその間に中央空間を形成する左側および右側部分を備え、前記最前列の前記左側および右側部分の前記シートは、前記最前列プリンスのそれぞれ前記左側および右側部分の上で支持されていることを特徴とする請求項２１ないし請求項２５のいずれか１項に記載のシネマ建造物。
【請求項２７】
前記最前部プリンスの前記左側および右側部分によって形成される前記中央空間の長さは、シートの前記最前列の前記左側および右側部分によって形成される前記中央空間の長さと実質的に等しいことを特徴とする請求項２６に記載のシネマ建造物。
【請求項２８】
前記プリンスの前記左側および右側部分は、そのそれぞれの側方縁間で前記スクリーンを二等分しかつ前記スクリーンから垂直に延在する垂直面の対向する側で等しく離間されていることを特徴とする請求項２６または請求項２７に記載のシネマ建造物。
【請求項２９】
シートの第１の下側列が、前記シートの前記最前列の前方に配置され、シートの前記第１の下側列は、前記スクリーンの前記下側縁のレベルと実質的に等しいレベルで支持されていることを特徴とする請求項４または請求項２８に記載のシネマ建造物。
【請求項３０】
シートの前記第１の下側列は左側部分および右側部分を備え、その前記左側部分および右側部分は、そのそれぞれの側方縁間で前記スクリーンを二等分しかつ前記スクリーンから垂直に延在する垂直面の対向する側で等しく離間されていることを特徴とする請求項２９に記載のシネマ建造物。
【請求項３１】
シートおよび車椅子スペースの一方あるいは両方の第２の下側列が、前記スクリーンの前記下側縁のレベルと実質的に同じレベルにおいて、前記最前部プリンスによって形成された前記中央空間内に配置されることを特徴とする請求項２６ないし請求項３０のいずれか１項に記載のシネマ建造物。
【請求項３２】
シートの第１の上側列が、シートの前記後部列の後方に配置されることを特徴とする請求項４ないし請求項３１のいずれか１項に記載のシネマ建造物。
【請求項３３】
シートの前記第１の上側列は、そのそれぞれの側方縁間で前記スクリーンを二等分しかつ前記スクリーンから垂直に延在する垂直面の対向する側で等しく離間された左側部分および右側部分を備えることを特徴とする請求項３２に記載のシネマ建造物。
【請求項３４】
シートの前記第１の上側列の前記左側および右側部分は、映写室の対向する側に配置されていることを特徴とする請求項３３に記載のシネマ建造物。
【請求項３５】
シートの前記第１の上側列は後部プリンス上で支持され、かつ、シートの前記第１の上側列を支持する前記後部プリンスと、シートの前記後部列を支持する前記プリンスとの間の垂直高さは、４００ｍｍないし８００ｍｍの範囲内に存在することを特徴とする請求項３２ないし請求項３４のいずれか１項に記載のシネマ建造物。
【請求項３６】
シートの前記第１の上側列を支持する前記後部プリンスと、シートの前記後部列を支持する前記プリンスとの間の前記垂直高さは、約６００ｍｍであることを特徴とする請求項３５に記載のシネマ建造物。
【請求項３７】
シートの前記後部列と、シートの前記第１の上側列との間の水平ピッチは、１,０００ｍｍないし１,５００ｍｍの範囲内に存在することを特徴とする請求項３５または請求項３６に記載のシネマ建造物。
【請求項３８】
シートの前記後部列と、シートの前記第１の上側列との間の水平ピッチは、約１,３００ｍｍであることを特徴とする請求項３５ないし請求項３７のいずれか１項に記載のシネマ建造物。
【請求項３９】
前記スクリーンの縦横比は１.８５：１ないし２.３５：１の範囲内にあることを特徴とする請求項１ないし請求項３８のいずれか１項に記載のシネマ建造物。
【請求項４０】
前記スクリーンの前記縦横比は約１.９５：１であることを特徴とする請求項３９に記載のシネマ建造物。
【請求項４１】
前記スクリーンは、１０メートルないし２４メートルの範囲内の、一方の側縁から他方の側縁に至る全幅のものであることを特徴とする請求項１ないし請求項４０のいずれか１項に記載のシネマ建造物。
【請求項４２】
前記スクリーンは、約１６メートルの、一方の側縁から他方の側縁に至る全幅のものであることを特徴とする請求項１ないし請求項４１のいずれか１項に記載のシネマ建造物。
【請求項４３】
その下側縁から上側縁までの前記スクリーンの高さは、５メートルないし１２メートルの範囲内に存在することを特徴とする請求項１ないし請求項４２のいずれか１項に記載のシネマ建造物。
【請求項４４】
その下側縁から上側縁までの前記スクリーンの高さは、約８メートルであることを特徴とする請求項１ないし請求項４３のいずれか１項に記載のシネマ建造物。
【請求項４５】
前記スクリーンは、実質的に、前記オーディトリウムの床からその天井まで延在していることを特徴とする請求項１ないし請求項４４のいずれか１項に記載のシネマ建造物。
【請求項４６】
前記スクリーンは、前記シネマ建造物の一方の側壁からその他方の側壁まで延在しており、シネマ建造物の前記側壁は、互いに離間しており、かつ、前記前端および後端壁と共に前記オーディトリウムを画定するために前記前端壁から前記後端壁へと延在していることを特徴とする請求項１ないし請求項４５のいずれか１項に記載のシネマ建造物。
【請求項４７】
前記スクリーンはフラットスクリーンからなることを特徴とする請求項１ないし請求項４６のいずれか１項に記載のシネマ建造物。
【請求項４８】
前記スクリーンは平面スクリーンからなることを特徴とする請求項１ないし請求項４７のいずれか１項に記載のシネマ建造物。
【請求項４９】
前記映像映写手段は映写レンズを備え、かつ、前記映像映写手段は、その下側縁とその上側縁との間で前記スクリーンを二等分しかつそこから垂直に延在する水平面上の、ある垂直高さに前記映写レンズの中心軸線が配置されるように配置されており、前記水平二等分面上の前記映写レンズの前記中心軸線の前記垂直高さは、その前記下側縁からその前記上側縁に至る前記スクリーンの高さの８分の１ないし３分の１の範囲内にあることを特徴とする請求項１ないし請求項４８のいずれか１項に記載のシネマ建造物。
【請求項５０】
前記水平二等分面上の前記映写レンズの中心軸線の垂直高さは、その下側縁からその上側縁までの前記スクリーンの高さの約四分の一であることを特徴とする請求項４９に記載のシネマ建造物。
【請求項５１】
前記映像映写手段の映写レンズの前記中心軸線は、その側方縁間で前記スクリーンを二等分しかつ前記スクリーンから垂直に延在する垂直面内に存在することを特徴とする請求項４９または請求項５０に記載のシネマ建造物。
【請求項５２】
前記映像映写手段の映写レンズは、３０メートルまでの垂直距離だけ、前記スクリーンから離間させられていることを特徴とする請求項４９ないし請求項５１のいずれか１項に記載のシネマ建造物。
【請求項５３】
前記映像映写手段の映写レンズは、２６メートルまでの垂直距離だけ、前記スクリーンから離間させられていることを特徴とする請求項４９ないし請求項５２のいずれか１項に記載のシネマ建造物。
【請求項５４】
前記映像映写手段の映写レンズは、１３メートルないし１６メートルのオーダーの垂直距離だけ、前記スクリーンから離間させられていることを特徴とする請求項４９ないし請求項５３のいずれか１項に記載のシネマ建造物。
【請求項５５】
前記映像映写手段の映写レンズは、０.７ないし１３の範囲の焦点距離を有するフレネルレンズからなることを特徴とする請求項４９ないし請求項５４のいずれか１項に記載のシネマ建造物。
【請求項５６】
前記映像映写手段はビデオプロジェクターからなることを特徴とする請求項１ないし請求項５５のいずれか１項に記載のシネマ建造物。
【請求項５７】
映画を映写し見るのを容易にするための方法であって、当該方法は、
前端壁、および、この前端壁から離間させられかつ前記前端壁と共にオーディトリウムを画定する後端壁を備えたシネマ建造物を提供するステップと、
前記前端壁に隣接してスクリーンを配置するステップと、
前記スクリーン上に映画を映写するよう構成された映像映写手段を、前記スクリーンから離間させて配置するステップと、
前記前端壁から前記後端壁に至る一般的方向に上昇する、２０°ないし４０°の範囲内の積み上げ角度で前記オーディトリウム内に積み上げられた座席設備を設けるステップと、
前記スクリーン上に前記映像映写手段から映画の映像を映写するステップと、
を備えることを特徴とする映画を映写し見るのを容易にするための方法。
【請求項５８】
前記座席設備の前記積み上げ角度は、２２°ないし３０°の範囲に存在することを特徴とする請求項５７に記載の映画を映写し見るための方法。
【請求項５９】
前記座席設備の前記積み上げ角度は約２５°であることを特徴とする請求項５７または請求項５８に記載の映画を映写し見るための方法。
【請求項６０】
前記座席設備は複数のシートを備え、かつ、前記シートは列をなすよう構成されていることを特徴とする請求項５７ないし請求項５９のいずれか１項に記載の映画を映写し見るための方法。
【請求項６１】
前記シートの前記列は、１,０００ｍｍないし１,５００ｍｍの範囲内の水平ピッチで離間されていることを特徴とする請求項６０に記載の映画を映写し見るための方法。
【請求項６２】
前記シートの前記列は、約１,３００ｍｍのオーダーの水平ピッチで離間されていることを特徴とする請求項６０または請求項６１に記載の映画を映写し見るための方法。
【請求項６３】
前記シートの前記列は、平面で見たとき、アーチ状に構成されることを特徴とする請求項６０ないし請求項６２のいずれか１項に記載の映画を映写し見るための方法。
【請求項６４】
前記シートの前記列は、前記スクリーンから見たとき、凹状であるように構成されることを特徴とする請求項６３に記載の映画を映写し見るための方法。
【請求項６５】
前記シートの最前列の直後の前記シートの列における前記シートの中央のものは、４メートルないし８.５メートルの範囲内の垂直距離だけ前記スクリーンから離間されていることを特徴とする請求項６０ないし請求項６４のいずれか１項に記載の映画を映写し見るための方法。
【請求項６６】
前記シートの最前列の直後の前記シートの列における前記シートの中央のものは、約７.３メートルの垂直距離だけ前記スクリーンから離間されていることを特徴とする請求項６５に記載の映画を映写し見るための方法。
【請求項６７】
前記シートの後部列における前記シートの中央のものは、１２メートルないし３０メートルの範囲内の垂直距離だけ前記スクリーンから離間されていることを特徴とする請求項６０ないし請求項６６のいずれか１項に記載の映画を映写し見るための方法。
【請求項６８】
前記シートの後部列の中央のシートは、約１４メートルの垂直距離だけ前記スクリーンから離間されていることを特徴とする請求項６７に記載の映画を映写し見るための方法。
【請求項６９】
シートの前記最前列は、互いに離間しかつシートが存在しない中央空間をその間に形成する左側部分および右側部分を備えることを特徴とする請求項６０ないし請求項６８のいずれか１項に記載の映画を映写し見るための方法。
【請求項７０】
前記最前列の前記左側および右側部分間に形成される前記中央空間は、横並び状態で配置された複数のシートによって占有されるであろうスペースに対応する長さのものであり、前記複数のシートは、３個のシートないし９個のシートの範囲内に存在することを特徴とする請求項６９に記載の映画を映写し見るための方法。
【請求項７１】
前記複数のシートは約７個のシートであることを特徴とする請求項７０に記載の映画を映写し見るための方法。
【請求項７２】
シートの前記最前列の前記左側部分における前記シートの数は、その右側部分における前記シートの数と同じであることを特徴とする請求項６０ないし請求項７１のいずれか１項に記載の映画を映写し見るための方法。
【請求項７３】
前記最前列の各部分における前記複数のシートは５個のシートないし２０個のシートの範囲内に存在することを特徴とする請求項６０ないし請求項７２のいずれか１項に記載の映画を映写し見るための方法。
【請求項７４】
前記最前列の各部分における前記複数のシートは９個のシートであることを特徴とする請求項６０ないし請求項７３のいずれか１項に記載の映画を映写し見るための方法。
【請求項７５】
前記最前列の前記左および右側部分は、そのそれぞれの側方縁間で前記スクリーンを二等分しかつ前記スクリーンから垂直に延在する垂直面の対向する側で等しく離間されていることを特徴とする請求項６９ないし請求項７４のいずれか１項に記載の映画を映写し見るための方法。
【請求項７６】
前記シートの前記列は、それぞれのプリンスによって支持されていることを特徴とする請求項６０ないし請求項７５のいずれか１項に記載の映画を映写し見るための方法。
【請求項７７】
隣接するプリンス間の垂直高さは４００ｍｍないし８００ｍｍの範囲内にあることを特徴とする請求項７６に記載の映画を映写し見るための方法。
【請求項７８】
隣接するプリンス間の垂直高さは約６００ｍｍであることを特徴とする請求項７６または請求項７７に記載の映画を映写し見るための方法。
【請求項７９】
その上で前記シートの前記最前列が支持される前記プリンスは、１,０００ｍｍないし１,４００ｍｍの範囲内の、前記スクリーンの下側縁上の垂直レベルに存在することを特徴とする請求項７６ないし請求項７８のいずれか１項に記載の映画を映写し見るための方法。
【請求項８０】
その上で前記シートの前記最前列が支持される前記プリンスは、約１,２００ｍｍの、前記スクリーンの下側縁上の垂直レベルに存在することを特徴とする請求項７６ないし請求項７９のいずれか１項に記載の映画を映写し見るための方法。
【請求項８１】
その上で前記シートの前記最前列が支持される前記プリンスは、互いに離間しかつその間に中央空間を形成する左側部分および右側部分を備え、前記最前列の前記左側および右側部分の前記シートは、前記最前部プリンスのそれぞれ前記左側および右側部分の上で支持されることを特徴とする請求項７６ないし請求項８０のいずれか１項に記載の映画を映写し見るための方法。
【請求項８２】
前記最前部プリンスの前記左側および右側部分によって形成される前記中央空間の長さは、シートの前記最前列の前記左側および右側部分によって形成される前記中央空間の長さと実質的に等しいことを特徴とする請求項８１に記載の映画を映写し見るための方法。
【請求項８３】
前記プリンスの前記左側および右側部分は、そのそれぞれの側方縁間で前記スクリーンを二等分しかつ前記スクリーンから垂直に延在する垂直面の対向する側で等しく離間されていることを特徴とする請求項８１または請求項８２に記載のシネマ建造物。
【発明の詳細な説明】
【技術分野】
【０００１】
本発明はシネマ建造物に関し、本発明はまた映画を映写し見るのを容易にするための方法に関する。
【背景技術】
【０００２】
オーディトリウム内で利用者が視聴するために、その中でスクリーン上にプロジェクターによって映画が映写されるオーディトリウムを備えたシネマおよびシネマ建造物は、よく知られている。概して、スクリーンは、オーディトリウムの最前部付近に設置され、そして、映画の映像はオーディトリウムの後部付近のプロジェクターからスクリーンに映写される。オーディトリウム内の座席設備は、通常、積み上げられ、そしてスクリーンから概して上方に傾斜している。だが、一般に、従来公知のシネマのオーディトリウム内でシートに着座する利用者は、スクリーン上の映画の映像を見るとき、特に心地よい体験が得られなかった。なぜなら、一般に、彼らは映画のアクションの一部を味わえないからである。これは、概して、そうしたシネマの構造に起因する。
【発明の概要】
【発明が解決しようとする課題】
【０００３】
したがって、概して従来公知のシネマおよびシネマ建造物によって提供されるものよりも、さらに心地よい体験をオーディトリウム内の利用者に提供するシネマ建造物が求められている。さらに、概して従来公知のシネマおよびシネマ建造物内で得ることができるよりも、より心地よい体験をシネマ建造物のオーディトリウム内の利用者に同様に提供する、映画を映写し見るための方法が求められている。
【課題を解決するための手段】
【０００４】
本発明は、そうしたシネマ建造物および方法を提供することを目的とする。
【０００５】
本発明によれば、シネマ建造物であって、前端壁、および、この前端壁から離間させられかつ前端壁と共にオーディトリウムを画定する後端壁と、前端壁に隣接して配置されたスクリーンであって、下側縁から、離間させられた上側縁へと、そして一対の離間させられた側方縁の一方から他方の側方縁へと延在するスクリーンと、スクリーン上に映画を映写するよう構成された、スクリーンから離間して配置された映像映写手段と、オーディトリウム内に配置された積み上げられた座席設備とを具備してなり、積み上げられた座席設備は、前端壁から後端壁に至る一般的方向に上昇する、２０°ないし４０°の範囲内の座席設備の積み上げ角度をなしているシネマ建造物が提供される。
【０００６】
本発明のある実施形態では、座席設備の積み上げ角度は２２°ないし３０°の範囲に存在する。好ましくは、座席設備の積み上げ角度は約２５°である。
【０００７】
本発明の別な実施形態では、座席設備は、列をなすよう構成された複数のシートを備える。好ましくは、シートの列は、積み上げと実質的に交差するように延在する。本発明の別な実施形態では、シートの列は１,０００ｍｍないし１,５００ｍｍの範囲内の水平ピッチで離間される。好ましくは、シートの列は約１,３００ｍｍの水平ピッチで離間される。
【０００８】
好ましくは、シートの列は、平面で見たとき、アーチ状に構成される。有利であるのは、シートの列が、スクリーンから見たとき、凹状であるように構成されることである。
【０００９】
本発明のある実施形態では、シートの最前列の直後のシートの列におけるシートの中央のものは、４メートルないし８.５メートルの範囲内の垂直距離だけスクリーンから離間される。好ましくは、シートの最前列の直後のシートの列におけるシートの中央のものは、約７.３メートルの垂直距離だけスクリーンから離間される。
【００１０】
本発明の別な実施形態では、シートの後部列におけるシートの中央のものは、１２メートルないし３０メートルの範囲内の垂直距離だけスクリーンから離間される。好ましくは、シートの後部列のシートの中央のものは、約１４メートルの垂直距離だけスクリーンから離間される。
【００１１】
本発明の別な実施形態では、シートの最前列は、互いに離間しかつシートが存在しない中央空間をその間に形成する左側および右側部分を備える。好ましくは、最前列の左側および右側部分間に形成される中央空間は、横並び状態で配置された複数のシートによって占有されるであろうスペースに対応する長さのものであり、複数のシートは、３個のシートないし９個のシートの範囲内に存在する。有利であるのは、複数のシートが約７個のシートであることである。
【００１２】
好ましくは、シートの最前列の左側部分におけるシートの数は、その右側部分におけるシートの数と同じである。有利であるのは、最前列の左側および右側部分のそれぞれにおける複数のシートは、５個のシートないし２０個のシートの範囲内に存在することである。理想を言えば、最前列の左側および右側部分のそれぞれにおける複数のシートは９個のシートである。
【００１３】
好ましくは、最前列の左側および右側部分は、そのそれぞれの側方縁間でスクリーンを二等分しかつスクリーンから垂直に延在する垂直面の対向する側で等しく離間される。
【００１４】
本発明の別な実施形態では、シートの列は、それぞれのプリンス上で支持される。好ましくは、隣接するプリンス間の垂直高さは４００ｍｍないし８００ｍｍの範囲内にある。有利であるのは、隣接するプリンス間の垂直高さが約６００ｍｍであることである。
【００１５】
本発明のある実施形態では、その上でシートの最前列が支持されるプリンスは、１,０００ｍｍないし１,４００ｍｍの範囲内の、スクリーンの下側縁上の垂直レベルに存在する。好ましくは、その上でシートの最前列が支持されるプリンスは、約１,２００ｍｍのスクリーンの下側縁上の垂直レベルに存在する。
【００１６】
本発明の別な実施形態では、その上でシートの最前列が支持されるプリンスは、互いに離間しかつその間に中央空間を形成する左側部分および右側部分を備え、最前列の左側および右側部分のシートは、最前部プリンスのそれぞれ左側および右側部分の上で支持される。好ましくは、最前部プリンスの左側および右側部分によって形成される中央空間の長さは、シートの最前列の左側および右側部分によって形成される中央空間の長さと実質的に等しい。有利であるのは、プリンスの左側および右側部分が、そのそれぞれの側方縁間でスクリーンを二等分しかつスクリーンから垂直に延在する垂直面の対向する側で等しく離間されることである。
【００１７】
本発明の別な実施形態では、シートの第１の下側列は、シートの最前列の前方に配置され、シートの第１の下側列は、スクリーンの下側縁のレベルと実質的に等しいレベルで支持される。好ましくは、シートの第１の下側列は、左側部分および右側部分を備え、その左側および右側部分は、そのそれぞれの側方縁間でスクリーンを二等分しかつスクリーンから垂直に延在する垂直面の対向する側で等しく離間させられる。
【００１８】
本発明の別な実施形態では、シートおよび車椅子スペースの一方あるいは両方の第２の下側列は、スクリーンの下側縁のレベルと実質的に同じレベルにおいて、最前部プリンスによって形成された中央空間内に配置される。
【００１９】
本発明のさらなる実施形態では、シートの第１の上側列が、シートの後部列の後方に配置される。好ましくは、シートの第１の上側列は、そのそれぞれの側方縁間でスクリーンを二等分しかつスクリーンから垂直に延在する垂直面の対向する側で等しく離間された左側部分および右側部分を備える。有利であるのは、シートの第１の上側列の左側および右側部分が映写室の対向する側に配置されることである。
【００２０】
有利であるのは、シートの第１の上側列が後部プリンス上で支持され、かつ、シートの第１の上側列を支持する後部プリンスとシートの後部列を支持するプリンスとの間の垂直高さが、４００ｍｍないし８００ｍｍの範囲内に存在することである。好ましくは、シートの第１の上側列を支持する後部プリンスとシートの後部列を支持するプリンスとの間の垂直高さは約６００ｍｍである。
【００２１】
好ましくは、シートの後部列とシートの第１の上側列との間の水平ピッチは、１,０００ｍｍないし１,５００ｍｍの範囲内に存在する。有利であるのは、シートの後部列とシートの第１の上側列との間の水平ピッチが約１,３００ｍｍであることである。
【００２２】
本発明のある実施形態では、スクリーンの縦横比は１.８５：１ないし２.３５：１の範囲内にある。好ましくは、スクリーンの縦横比は約１.９５：１である。
【００２３】
本発明の別な実施形態では、スクリーンは、１０メートルないし２４メートルの範囲内の、一方の側縁から他方の側縁に至る全幅のものである。好ましくは、スクリーンは、約１６メートルの一方の側縁から他方の側縁に至る全幅のものである。有利であるのは、その下側縁から上側縁までのスクリーンの高さが、５メートルないし１２メートルの範囲内に存在することである。好ましくは、その下側縁から上側縁までのスクリーンの高さは、約８メートルである。
【００２４】
本発明のある実施形態では、スクリーンは、実質的に、オーディトリウムの床からその天井まで延在する。有利であるのは、スクリーンが、シネマ建造物の一方の側壁からその他方の側壁まで延在しており、シネマ建造物の側壁は互いに離間しており、かつ、前端および後端壁と共にオーディトリウムを画定するために前端壁から後端壁へと延在していることである。
【００２５】
好ましくは、スクリーンはフラットスクリーンからなる。有利であるのは、スクリーンは平面スクリーンからなることである。
【００２６】
本発明の別な実施形態では、映像映写手段は映写レンズを備え、かつ、映像映写手段は、その下側縁とその上側縁との間でスクリーンを二等分しかつそこから垂直に延在する水平面上の、ある垂直高さに映写レンズの中心軸線が配置されるように配置されており、水平二等分面上の映写レンズの中心軸線の垂直高さは、その下側縁からその上側縁に至るスクリーンの高さの８分の１ないし３分の１の範囲内にある。好ましくは、水平二等分面上の映写レンズの中心軸線の垂直高さは、その下側縁からその上側縁までのスクリーンの高さの約４分の１である。
【００２７】
好ましくは、映像映写手段の映写レンズの中心軸線は、その側方縁間でスクリーンを二等分しかつスクリーンから垂直に延在する垂直面内に存在する。
【００２８】
本発明の別な実施形態では、映像映写手段の映写レンズは、３０メートルまでの垂直距離だけ、スクリーンから離間させられる。好ましくは、映像映写手段の映写レンズは、２６メートルまでの垂直距離だけスクリーンから離間させられる。有利であるのは、映像映写手段の映写レンズが、１３メートルないし１６メートルのオーダーの垂直距離だけ、スクリーンから離間させられることである。
【００２９】
本発明のさらなる実施形態では、映像映写手段の映写レンズは、０.７ないし１３の範囲の焦点距離を有するフレネルレンズからなる。
【００３０】
好ましくは、映像映写手段はビデオプロジェクターからなる。
【００３１】
本発明はまた映画を映写し見るのを容易にするための方法を提供するが、当該方法は、前端壁、および、この前端壁から離間させられかつ前端壁と共にオーディトリウムを画定する後端壁を備えたシネマ建造物を提供するステップと、前端壁に隣接してスクリーンを配置するステップと、スクリーン上に映画を映写するよう構成された映像映写手段を、スクリーンから離間させて配置するステップと、前端壁から後端壁に至る一般的方向に上昇する、２０°ないし４０°の範囲内の積み上げ角度でオーディトリウム内に積み上げられた座席設備を設けるステップと、スクリーン上に映像映写手段から映画の映像を映写するステップとを備える。
【００３２】
本発明の利点は数多くある。本発明の特に重要な利点は、本発明に基づくシネマ建造物のオーディトリウム内の利用者に、完全に心地よい体験を提供できることである。なぜなら、オーディトリウム内に着座した利用者は、そうした利用者に映画のアクションに参観する経験が提供される程度まで、仮想的に映画のアクションの一部となるからである。オーディトリウム内に着座した利用者に提供される、この心地よい体験は非常に感銘を与えるものであり、そしてさらに、座席設備の積み上げおよびスクリーンに対する座席設備の位置は、心地よい体験を提供するのと同様、オーディトリウムに着座して利用者に、スクリーン全体のクリヤーでかつ遮るもののない視界を提供することが判明している。さらに、最前列の左および右側部分間の中央空間ならびに最前部プリンスの左および右側部分間の中央空間を設けたことで、映像映写手段によって映写された映画の映像のビームは遮られることなくスクリーン上に到達できるようになる。
【００３３】
本発明は、図面を参照して単なる実例として提示した、その好ましい実施形態についての以下の説明から、より明確に理解される。
【図面の簡単な説明】
【００３４】
【図１】本発明に基づくシネマ建造物の平面図である。
【図２】図１の線II‐IIでの図１のシネマ建造物の断面図である。
【図３】図１のシネマ建造物のスクリーンの前端立面図である。
【図４】図１のシネマ建造物の細部の拡大立面図である。
【発明を実施するための形態】
【００３５】
図面を参照すると、参照数字１で大まかに示す本発明に基づくシネマ建造物が図示されているが、その中で、視聴のために映画が映写される。シネマ１は、前端壁４と、離間された後端壁５と、この前後端壁４および５間に広がる離間した平行な側壁６との間に画定されるオーディトリウム３を備える。前後端壁４および５と側壁６とはオーディトリウム３の床８からオーディトリウム３の天井９へと上向きに延びている。
【００３６】
垂直に配置されたフラットな平面スクリーン１０が、前端壁４に隣接してかつその上に搭載された状態でオーディトリウム３内に配置されており、かつ、映像映写手段、すなわち以下で簡単に説明するプロジェクター１２がスクリーン１０の上に映画の映像を映写する。プロジェクター１２は、映写室７内に配置されるが、これは、後端壁５からオーディトリウム３内へと広がっている。前部壁および側壁３５および３６は、それぞれ、オーディトリウム３から映写室７を区切っている。映写室７の側壁３６は、後端壁５から映写室７の前部壁３５へと延びている。側壁３６のドア３７はオーディトリウム３から映写室７へのアクセスを実現する。
【００３７】
スクリーン１０は、離間された下側および上側縁３８および３９それぞれを、そして離間された対向する側方縁４０を備え、かつ、下側縁３８から上側縁３９へと、そして一方の側方縁４０から他方の側方縁４０へと延在している。さらに、スクリーン１０の高さＨは、スクリーン１０が実質的に床８からオーディトリウム３の天井に至る前端壁４の高さに広がるようなものである。側方縁４０間のスクリーン１０の幅は、スクリーン１０が実質的にオーディトリウム３の側壁６間の前端壁４の幅に広がるようなものである。本発明のこの実施形態では、スクリーン１０の幅Ｗは約１６メートルであり、かつ、スクリーン１０の高さＨは約８メートルであり、したがって１.９５：１の幅Ｗ対高さＨの縦横比を有する。だが、スクリーンの幅は１０メートルないし２４メートルの範囲内にあってもよく、好ましくは１３メートルないし１７メートルの範囲内にあり、そしてスクリーンの高さＨは５メートルないし１２メートルの範囲内にあってもよく、好ましくは６メートルないし９メートルの範囲内にある。だが、スクリーン１０の寸法は、前端壁４の寸法に大きく依存する。なぜなら、概して、スクリーン１０の面積は前端壁４の面積と実質的に同じであることが望ましいからである。
【００３８】
積み上げられた座席設備１４がオーディトリウム３内に設けられ、本発明のこの実施形態では、座席設備１４の積み上げ角度αは、オーディトリウム３の床８に関して約２５°である。座席設備１４は、最前列１５ａから後部列１５ｂへとシート１６の列１５として配置されている。最前列１５ａを除いて、シート１６の各列１５は２５個のシート１６を備える。シート１６の各列１５は対応するプリンス１８上で支持される。シート１６の列１５は、一方の側壁６からオーディトリウム３の他方の側壁６に至る一般的な方向に、そして積み上げの方向と交差するように延びている。シート１６の列１５は、平面で(上から)見たとき、弧を形成するように構成されている。各アーチ形列１５は、スクリーン１０から見たとき、凹状である。
【００３９】
第２の列１５ｃ(これは最前列１５aの直後の列１５である)の中央シート１６ａは、約７.３メートルの、スクリーン１０からの垂直距離だけ離間されている。後部列１５ｂの中央シート１６ｂは、約１４メートルの、スクリーン１０からの垂直距離だけ離間されている。シート１６の列１５は、約１,３００ｍｍの水平ピッチＰ１を伴って互いに離間させられている。隣接する前方プリンス１８上の各プリンス１８の垂直高さｈ１は、約６００ｍｍであり、したがって約２５°の積み上げ角度αを形成している。その上でシート１６の最前列１５ａが支持されるプリンス１８は、オーディトリウム３の床８の上で、約１,２００ｍｍの垂直高さｈ２に存在し、そして、スクリーン１０の下側縁３８の上で約１,２００ｍｍの垂直高さに存在する。
【００４０】
その上でシート１６の最前列１５が支持される最前部プリンス１８ａは、二つの部分、すなわち、左側部分４２ａおよび右側部分４２ｂから形成されている。最前部プリンス１８ａの中央部分は左および右側部分４２ａおよび４２ｂ間で省略されており、したがって、最前列プリンス１８ａの左および右側部分４２ａおよび４２ｂはその間に中央空間４３を形成している。シート１６の最前列１５ａは、同様に、二つの部分、すなわち、左側部分４４ａおよび右側部分４４ｂから形成されている。シート１６の最前列１５ａの左側部分４４ａは最前部プリンス１８ａの左側部分４２ａ上で支持され、一方、シート１６の最前列１５ａの右側部分４４ｂは最前部プリンス１８ａの右側部分４２ｂ上で支持される。したがって、最前列１５ａの左側部分４４ａおよび右側部分４４ｂは、最前部プリンス１８ａの左および右側部分４２ａおよび４２ｂによって形成された中央空間４３上で中央空間４５を形成する。最前部プリンス１８ａの中央空間４３および４５ならびに最前列１５ａは、スクリーン１０へのプロジェクター１２からの映画の映像の映写ビームの下側中央部分を遮らないように受け容れる。
【００４１】
最前列１５ａの左側部分４４ａおよび右側部分４４ｂならびに最前部プリンス１８ａの左および右側部分４２ａおよび４２ｂは、その側方縁４０間でスクリーン１０を二等分しかつスクリーン１０から垂直に延在する垂直面２４の対向する側で等しく離間されている。左および右側部分４４ａおよび４４ｂはそれぞれ９個のシートを含んでいる。最前部プリンス１８ａおよび最前列１５ａの左および右側部分４２ａおよび４２ｂならびに４４ａおよび４４ｂ間にそれぞれ形成される中央空間４３および４５の長さは、実質的に互いに等しく、かつ、実質的に、互いに対して横並び状態で配置される７個のシートによって占有されるであろうスペースと等しい。
【００４２】
シート１６の列１５の終端と側壁６の隣接するものとの間で、オーディトリウム３の各側に配置される側方通路２７は、シート１６の列１５へのアクセスを実現する。階段２５が隣接するプリンス１８間で側方通路２７に設けられており、そしてシート１６の列１５の積み上げ角度ならびに隣接プリンス１８間の垂直高さｈ１によって、各側方通路２７には、あるプリンス１８から次の隣接プリンス１８へと至る、同じ高さの三つの階段２５が設けられている。オーディトリウム３の床８と最前部プリンス１８ａとの間の各側方通路２７には、７個の階段２６が設けられている。
【００４３】
シート２９の第１の下側列２８が、二つの部分、すなわち左側部分４７ａおよび右側部分４７ｂとしてオーディトリウム３の床８の上に設けられている。シート２９の第１の下側列２８は、最前部プリンス１８ａの前方でかつそれに隣接して配置されており、それは、平面で見たときにアーチ形状であり、かつ、スクリーン１０から見たときに凹状である。シート２９の第１の下側列２８の左側部分４７ａおよび右側部分４７ｂは、それぞれ６個のシートを備え、かつ、スクリーン１０へのプロジェクター１２からの映画の映像の映写ビームの下側中央部分を遮らないように受け容れるために、中央空間４３および４５の長さよりも大きな長さのものである中央空間４８を形成する。第１の下側列２８の左側部分４７ａおよび右側部分４７ｂは、(スクリーン１０から垂直に延在する)垂直二等分面２４の対向する側で等しく離間されている。
【００４４】
二つのシート５１および二つの隣接車椅子スペース５２の第２の下側列５０が、最前部プリンス１８ａの左側および右側部分４２ａおよび４２ｂの間に形成される中央空間４３内でオーディトリウム３の床８の上で中央に配置されている。床８上での、そして中央空間４３内でのシート５１および二つの隣接車椅子スペース５２の第２の下側列５０の位置は、シート５１あるいは車椅子スペース５２内の車椅子あるいは二つのシート５１および車椅子５２を占有する利用者が、スクリーン１０へのプロジェクター１２からの映画の映像の映写ビームの下側中央部分を遮らないようなものである。
【００４５】
シート５５の第１の上側列５４が、後部プリンス５６上でシート１６の後部列１５ｂの後方に配置されている。第１の上側列５８のシート５５は、列１５のシート１６と同じである。シート５５の第１の上側列５４は、平面で見たときにアーチ状であり、かつ、スクリーン１０から見たときに凹状である。後部プリンス５６は、二つの部分、すなわち左側部分５７ａおよび右側部分５７ｂとして形成されており、これは、それぞれ、映写室７から、その対向する側においてオーディトリウム３の対応する側壁６へと延びている。同様に、シート５５の第１の上側列５４は、二つの部分、すなわち左側部分５８ａおよび右側部分５８ｂとして形成されており、かつ、左側部分および右側部分５８ａおよび５８ｂのシート５５は、後部プリンス５６の、左側および右側部分５７ａおよび５７ｂ上でそれぞれ支持されている。第１の上側列５４の左および右側部分はそれぞれ１０個のシート５５を備える。
【００４６】
その上でシート１６の後部列１５ｂが支持されるプリンス１８上の後部プリンス５６の垂直高さｈ３は約６００ｍｍである。シート１６の後部列１５ｂとシート５５の第１の上側列５４との間の水平ピッチＰ２は約１,３００ｍｍである。第１の上側列５４の各外側端部に隣接する第１の４個のシート５５は、利用者のためのより大きなレッグルームおよびさらなる快適性を提供するために、後部列１５ｂのシート１６から後方に、第１の上側列５４の残りのシート５５と後部列１５ｂのシート１６との間の間隔よりも大きな距離だけ離間している。
【００４７】
シート１６の列１５の構成は、シート１６の後部列１５ｂの中央シート１６ｂに着座している利用者がスクリーン１０の一方側の縁４０からその他方側の縁４０に至るスクリーン１０の約６５°の水平視角β１を有するようなものである。後部列１５ａの中央シート１６ｂに座っている利用者は、スクリーン１０の下側縁３８からその上側縁３９に至るスクリーン１０の約３５°の垂直視角Δ１を有する。前部列１５ａにおける二つの最も内側のシート１６ｃの一つに座っている利用者は、スクリーン１０の側方縁４０間で約１００°のスクリーン１０の水平視角β２を有する。前部列１５ａの二つの最も内側のシート１６ｃの一方に座っている利用者は、約６０°の垂直視角Δ２を有する。
【００４８】
ここでプロジェクター１２に話を戻すと、映写室７の前方壁３５に開口６２は、プロジェクター１２からスクリーン１０への映画の映像のビームを通過させる。プロジェクター１２はＤＣＩコンプライアントデジタルプロジェクターであり、映写レンズ２２を備えるが、これは、本発明のこの実施形態では、０.７ないし１.３の範囲内の焦点距離を有するフレネルレンズである。プロジェクター１２は映写室７内に配置され、かつ、サポート６０上で支持され、この結果、映写レンズ２２の中心軸線は、その側方縁４０間でスクリーン１０を二等分しかつスクリーン１０から垂直に延在する垂直面２４内に含まれる。プロジェクター１２は、プロジェクター１２の映写レンズ２２の中心軸線が、その下側縁３８と上側縁３９との間でスクリーン１０を二等分しかつスクリーン１０から垂直に延在する水平面６１上で高さｈ４に存在するようなレベルにおいて、映写室７内でサポート６０上で支持される。高さｈ４は、本発明のこの実施形態では、スクリーン１０の高さＨの約４分の１である(図２参照)。プロジェクター１２は、プロジェクター１２の映写レンズ２２が１２メートルないし１４メートルの間のスクリーン２０からの垂直距離ｄにて配置されるようにサポート６０上に搭載されている。したがって、これは、プロジェクター１２の映写レンズ２２からスクリーン１０のそれぞれの対向する側方縁４０に至る約６０°の水平映写角θ、ならびにプロジェクター１２の映写レンズ２２からスクリーン１０の下側および上側縁３８および３９に至る約３５°の垂直映写角γを提供する。
【００４９】
使用時、映画の映像はスクリーン１０上にプロジェクター１２によって映写され、この結果、映画の映像は、一方の側方縁４０から他方の側方縁４０に至るその全幅Ｗ、ならびに下側縁３８から上側縁３９に至るスクリーン１０の全高Ｈを横切って、スクリーン１０全体に広がる。スクリーン１０は、側壁６間でオーディトリウム３の前部壁４の実質的に全幅にわたって広がり、かつ、スクリーン１０は、オーディトリウムの床８から天井９に至る前部壁４の実質的に全高にわたって広がり、そして座席設備１４の積み上げ角度は約２５°であるので、シート１６,２８,５１,５５のいずれかに、あるいは車椅子スペース５２に着座する利用者には、特に心地よい体験が提供され、これによって、そうした利用者には、そうした利用者に映画のアクションに参加する経験が提供される程度まで、仮想的に映画のアクションの一部となる感銘が提供される。
【００５０】
さらに、シート１６の列１５およびシート５５の第１の上側列５４の角度αの相対的に急な積み上げは、第１および第２の下側列２８および５０内のそれを含む、オーディトリウム内の全ての利用者に、スクリーン１０の完全かつ遮られていない視界を提供する。スクリーン１０のオーディトリウム内の各利用者のこの遮られていない視界は、さらに、シート１６の列１５およびシート５５の第１の上側列５４の水平ピッチングＰ１(これはまたそこに着座する人にレッグルームおよび快適性を提供する)によって、そして特に隣接プリンス１８上のプリンス１８および５６の高さｈ１およびｈ３によって改善される。
【００５１】
最前列プリンス１８ａの左および右側部分４２ａおよび４２ｂ間の中央空間４３と、シート１６の最前列１５ａの左および右側部分４４ａおよび４４ｂ間の中央空間４５とを設けたことで、スクリーン１０に対してプロジェクター１２によって映写された映画の映像のビームが遮られないことが保証される。
【００５２】
シネマ建造物について、シート２９の第１の下側列２８と、シート５１および車椅子スペース５２の第２の下側列５０とを備えるものとして説明したが、これは望ましいものであるが必須ではない。シート５５の第１の上側列５４を省略することも考えられ、この場合、シート１６の後部列１５ｂは、オーディトリウム内でシートの最後部列となるであろう。
【００５３】
隣接するプリンス間の垂直高さについて６００ｍｍであると説明したが、隣接するプリンス間の垂直高さは４００ｍｍないし８００ｍｍの範囲内にあってもよい。プリンス１８間の、そして後部プリンス５６とシート１６の後部列１５ｂを支持するプリンス１８との間の水平ピッチは１,３００ｍｍより大きくてもあるいは小さくてもよく、そして実際には、１,０００ｍｍないし１,５００ｍｍの範囲内に存在する。さらに、座席設備の積み上げ角度αは、２０°と４０°の間のいかなる角度値であってもよい。
【００５４】
スクリーンについて、１.９５：１の縦横比を備えるものとして説明したが、スクリーンの縦横比は、１.８５：１ないし２.３５：１の範囲内にあればよい。
【００５５】
スクリーンを幅１６メートルのものとして説明したが、スクリーンは１０メートルないし２４メートルの範囲内の幅であればよく、好ましくは、１３メートルないし１７メートルの範囲内の幅である。さらに、スクリーンを８メートルの高さのもとして説明したが、スクリーンの高さは５メートルないし１２メートルの範囲内の好適な高さであればよく、好ましくは６メートルないし９メートルの範囲内の高さである。だが、概して、スクリーンの高さおよび幅は、前端壁の面積によって決定される。なぜなら、スクリーンは、前端壁の幅および高さとそれぞれ実質的に同じ幅および高さのものであることが好ましいからである。
【００５６】
列１５について、最前列１５ａを除いてそれぞれ２５個のシートを備えるものとして説明したが、各列内のシートの数は、概して、側壁６間のオーディトリウムの幅によって決定されることに留意されたい。さらに、最前列１５ａの左および右側部分についてそれぞれ９個のシートを備えるものとして説明したが、最前列の各左および右側部分のシートの数もまた、概して、側壁６間のオーディトリウムの幅によって決定されることに留意されたい。言うまでもなく、最前部プリンス１８ａおよび最前列１５ａの左および右側部分間の中央空間４３および４５は、互いに横並び状態で配置された７個のシートによって占有されるスペースに対応する長さ以外の、いかなる所望の長さのものであってもよい。実際、中央空間４３および４５の長さは、概して、スクリーン上にプロジェクターから映写される映画の映像のビームが、シートあるいはさもなければ最前列に包含されるであろうそうしたシートに着座する利用者の頭といった障害物によってさもなかれば引き起こされ得る妨害を伴わずに映写されることが保証されるように選択される。
【００５７】
スクリーン１０からのシートの最前列の直後のシートの列の中央シートの間隔、ならびにスクリーン１０からのシートの後部列における中央シートの間隔は、上記のものとは異なっていてもよく、概して、前端壁と後端壁との間のオーディトリウムのサイズによって決定される。
【００５８】
プロジェクターをビデオプロジェクターとして説明したが、いかなる好適なプロジェクターを使用することもでき、そしてプロジェクターがビデオプロジェクターである場合、プロジェクターはデジタルビデオプロジェクターであってもよい。
【００５９】
さらに、水平二等分面６１上の映写レンズの中心軸線の高さはいかなる適当な高さであってもよく、通常は、スクリーンの高さの８分の１ないしスクリーンの高さの３分の１の範囲内の高さとなる。
【符号の説明】
【００６０】
１  シネマ建造物
３  オーディトリウム
４  前端壁
５  後端壁
６  側壁
７  映写室
８  床
９  天井
１０  スクリーン
１２  プロジェクター
１４  座席設備
１５  列
１５ａ  最前列
１５ｂ  後部列
１５ｃ  第２の列
１６  シート
１６ａ  中央シート
１６ｂ  中央シート
１８  プリンス
１８ａ  最前部プリンス
２２  映写レンズ
２４  垂直二等分面
２５  階段
２７  側方通路
２９  シート
３５  前方壁
３６  側壁
３７  ドア
３８  下側縁
３９  上側縁
４０  側方縁
４２ａ  左側部分
４２ｂ  右側部分
４３  中央空間
４４ａ  左側部分
４４ｂ  右側部分
４５  中央空間
４７ａ  左側部分
４７ｂ  右側部分
５０  第２の下側列
５１  シート
５２  車椅子スペース
５４  第１の上側列
５５  シート
５６  後部プリンス
５７ａ  左側部分
５７ｂ  右側部分
５８  第１の上側列
５８ａ  左側部分
５８ｂ  右側部分
６１  水平面
６２  開口
【図１】
2013537589.tif 000003
【図２】
2013537589.tif 000004
【図３】
2013537589.tif 000005
【図４】
2013537589.tif 000006
【国際調査報告】
2013537589.tif 000007
2013537589.tif 000008
2013537589.tif 000009